(57)【特許請求の範囲】
【請求項１】
流しのゴミ受けカゴの上部に設けられる菊割れフタに対し着脱自在に設置されるヌメリ除去部材であって、ヌメリ除去剤を収容する複数の収容部が設けられたリング体を有し、更に、前記各収容部は、当該収容部に流入し溜まった排水によって予めヌメリ除去剤の一部を溶解させるよう構成されていると共に、当該収容部内に流入する排水の流入孔を有し、また、当該収容部は、前記ヌメリ除去剤を載置するとともに収容可能な凹み部を有し、この凹み部は、前記流入孔から収容部内に流入した排水の一部を一旦溜め、この状態で溜まった排水によってヌメリ除去剤の一部が溶解した溶解液を徐々に外部に流出させる多孔質性の軟質樹脂によって形成されていることを特徴とするヌメリ除去部材。
【請求項２】
流しのゴミ受けカゴの上部に設けられる菊割れフタに対し着脱自在に設置されるヌメリ除去部材であって、ヌメリ除去剤を収容する複数の収容部が設けられたリング体を有し、更に、前記各収容部は、当該収容部に流入し溜まった排水によって予めヌメリ除去剤の一部を溶解させるよう構成されていると共に、当該収容部内に流入する排水の流入孔を有し、また、当該収容部は、ネット部材によって覆われる下方開口を有し、前記ネット部材は、前記流入孔から収容部内に流入した排水の一部を一旦溜め、この状態で溜まった排水によってヌメリ除去剤の一部が溶解した溶解液を徐々に外部に流出させるように構成されていることを特徴とするヌメリ除去部材。
【発明の詳細な説明】
【０００１】
【発明の属する技術分野】
この発明は、流しのゴミ受けカゴのヌメリと、この受けカゴの上部に設けられる菊割れフタのヌメリを除去できるヌメリ除去部材に関するものである。
【０００２】
【従来の技術】
本出願人は、流しの排水によって溶解されたヌメリ除去剤の溶解液が、流しのゴミ受けカゴの上部に設けられる菊割れフタの底部に至り、この底部上に排水の一部が滞留して菊割れフタのヌメリも除去できるとともに、菊割れフタの排水用長孔を経てゴミ受けカゴに至ることでゴミ受けカゴのヌメリを除去できるヌメリ除去部材を開発中である。
【０００３】
そして、それは、菊割れフタに対し着脱自在に設置できる割りリング体の撓み変形を利用することによって底部の径が異なるタイプの菊割れフタにも適用できるものである。
【０００４】
【発明が解決しようとする課題】
【０００５】
しかし、ヌメリ除去剤を収容する収容部に流入する排水の流量にばらつきが多い等が原因で、ヌメリ除去剤の溶解が安定しなかった。
【０００６】
この発明は、ヌメリ除去効果の大きな溶解液を常時確保できるヌメリ除去部材を提供することを目的とする。
【０００７】
【課題を解決するための手段】
上記目的を達成するために、この発明は、流しのゴミ受けカゴの上部に設けられる菊割れフタに対し着脱自在に設置されるヌメリ除去部材であって、ヌメリ除去剤を収容する複数の収容部が設けられたリング体を有し、更に、前記各収容部は、当該収容部に流入し溜まった排水によって予めヌメリ除去剤の一部を溶解させるよう構成されていると共に、当該収容部内に流入する排水の流入孔を有し、また、当該収容部は、前記ヌメリ除去剤を載置するとともに収容可能な凹み部を有し、この凹み部は、前記流入孔から収容部内に流入した排水の一部を一旦溜め、この状態で溜まった排水によってヌメリ除去剤の一部が溶解した溶解液を徐々に外部に流出させる多孔質性の軟質樹脂によって形成されている。
【０００８】
また、この発明は別の観点から、流しのゴミ受けカゴの上部に設けられる菊割れフタに対し着脱自在に設置されるヌメリ除去部材であって、ヌメリ除去剤を収容する複数の収容部が設けられたリング体を有し、更に、前記各収容部は、当該収容部に流入し溜まった排水によって予めヌメリ除去剤の一部を溶解させるよう構成されていると共に、当該収容部内に流入する排水の流入孔を有し、また、当該収容部は、ネット部材によって覆われる下方開口を有し、前記ネット部材は、前記流入孔から収容部内に流入した排水の一部を一旦溜め、この状態で溜まった排水によってヌメリ除去剤の一部が溶解した溶解液を徐々に外部に流出させるように構成されていることを特徴とするヌメリ除去部材を提供する。
【０００９】
【発明の実施の形態】
以下にこの発明の実施の形態について説明する。なお、この発明はそれによって限定されるものではない。
【００１０】
図１〜図８は、排水の流入孔４１と多孔質部材１４を有する収容部２０を設けたこの発明の第１の実施形態を示す。
【００１１】
図１〜図８において、１は、菊割れフタで、流しＷの排水口Ｈにはめ込まれるゴミ受けカゴ６０の上部に設けられる。菊割れフタ１は、複数の菊割れ舌片３で構成される平面視円形の底部と、上方開口４ａを形成する環状枠部４とより主としてなる。菊割れフタ１の前記底部は、中心部に丸孔７を有するとともに、ゴミ受けカゴ６０に連通する複数の排水用長孔６を中心部から離れた環状枠部４の側に有する。そして、排水用長孔６は、円周方向よりも径方向に長い。８は、内周面５のほぼ中間の高さ位置に設けた環状突条部である。
【００１２】
以下、この発明の特徴的構成について説明する。
【００１３】
１０は、ヌメリ除去部材で、菊割れフタ１に対し着脱自在に設置される。前記ヌメリ除去部材１０は、例えば塩素系酸化剤を主成分とするヌメリ除去剤１２を収容する複数の収容部２０が設けられたリング体１１を有する。この発明で用いるヌメリ除去剤１２の形状は、図９に示すように略円板状であったり、図１０に示すように円板状のものが好ましい。球形あるいは略球形のヌメリ除去剤を用いるよりも前記ヌメリ除去剤１２の方が成形等の理由で安価である。
【００１４】
前記リング体１１は、上下リング部材１３，１４よりなり、両者１３，１４を接合することにより複数の収容部２０を有する状態で形成されている。９は、上リング部材１３と下リング部材１４の接合面を示している。前記上リング部材１３は、所定幅Ｂを有する上リング部材本体１３ａを備えている。Ｎは、上リング部材本体１３ａの下面である。
【００１５】
一方、下リング部材１４は、上リング部材本体１３ａと同じ所定幅Ｂを有する下リング部材本体１４ａを備え、菊割れフタ１の環状枠部４の前記内周面５に係止する複数の係止片１５を円周方向に適宜間隔をおいて外周面Ｍに有する。この係止片１５は、外周面Ｍから径方向外側に適宜間隔をおいて放射状に突出した例えば二つの突起１５ａ，１５ｂによって構成される。そして、環状枠部４の前記内周面５に複数の係止片１５が食い込み、それによって、菊割れフタ１の上方開口４ａ内にリング体１１を弾性的に嵌合保持させることができる。
【００１６】
また、下リング部材１４は、所定幅Ｂを有する下リング部材本体１４ａの下面Ｎ’’よりも遙に細い幅を持った外周部分１４ｂを残す形で下リング部材本体１４ａを内側から切欠いた平面視矩形の切欠部１７を係止片１５，１５間に有する。Ｎ’は、外周部分１４ｂの下面である。
【００１７】
前記リング体１１は、ヌメリ除去剤１２を収容する複数の収容部２０をそれぞれ前記切欠１７の上下位置に有する。この実施形態では、各収容部２０は、袋状で、一個のヌメリ除去剤１２が収容可能な空間Ｓを有する大きさに形成されて係止片１５，１５間に位置している。収容部２０内では、当該収容部２０に流入し溜まった排水Ｊによって予めヌメリ除去剤１２の一部が溶解する。
【００１８】
更に、前記外周部分１４ｂは、上面Ｕに凹所１９を有する。この凹所１９は、収容部２０に形成される排水流入孔４１を構成する。
【００１９】
前記下リング部材１４は、ポリエチレンや発泡スチロールのような多孔質性の軟質樹脂を材料とする薄肉の多孔質樹脂製下リング部材で構成される一方、前記上リング部材１３は、硬質樹脂製で可撓性のある薄肉の硬質樹脂製上リング部材で構成されている。以下、下リング部材１４を多孔質樹脂製下リング部材と言い、上リング部材１３を硬質樹脂製上リング部材と言う。
【００２０】
多孔質樹脂製下リング部材１４は、収容部２０の排水流入孔４１から流入した流しＷの排水Ｊの一部を一旦溜め、この状態で溜まった排水Ｊによってヌメリ除去剤１２の一部が溶解して形成される溶解液Ｊ’を、排水流入孔４１から新たに流入した排水Ｊによって流出させたり、排水Ｊがない場合でも収容部２０内の前記溶解液Ｊ’を徐々に流出させうる機能を有する。
【００２１】
前記リング体１１は、ヌメリ除去剤１２を収容する複数の収容部２０をそれぞれ前記切欠１７の上下位置に有する。この実施形態では、各収容部２０は、袋状で、一個のヌメリ除去剤１２が収容可能な空間Ｓを有する大きさに形成されて係止片１５，１５間に位置している。収容部２０は、当該収容部２０に流入し溜まった排水Ｊによって予めヌメリ除去剤１２の一部を溶解させる。
【００２２】
そして、収容部２０は、横断面ほぼＵ字形で、ヌメリ除去剤１２を載置するとともに収容可能な凹み部３０ａを前記下リング部材１４に有する。この凹み部３０ａは、前記下リング部材１４の一部であるから、ポリエチレンや発泡スチロールのような多孔質性の軟質樹脂を材料としている。そして、この凹み部３０ａは、ヌメリ除去剤１２を横置きに載置するのではなく、図９、図１０に示すように、周面１２ａを平坦なヌメリ除去剤載置面（以下、単に載置面という）Ｇに当接させる縦置き状態でヌメリ除去剤１２を載置できる程度の幅Ｃを有するのが好ましい。
【００２３】
更に、排水Ｊに溶かしていない新しいヌメリ除去剤１２を凹み部３０ａに収容した状態において凹み部３０ａ内で転がったり傾いたりしないように、図９に示したヌメリ除去剤１２は、ヌメリ除去剤１２を平坦な載置面Ｇに安定的に載置できるよう周面１２ａにカット面５５を有するのが好ましい。図９に示したヌメリ除去剤１２は、カット面５５からヌメリ除去剤１２の中心Ｏ’を通る垂直溝５６を一方面Ｒに有する。この実施形態では、凹み部３０ａ内に流入し凹み部３０ａ内に溜まった排水Ｊが毛細管現象で垂直溝５６を介してヌメリ除去剤１２の上部まで浸透していき、垂直溝５６が無い場合に比して排水Ｊとの接触面積が増加することでヌメリ除去剤１２をより溶解し易くできる。そのため、濃い濃度の溶解液を常時確保できる利点を有する。
【００２４】
また、図１０に示したヌメリ除去剤１２には、ヌメリ除去剤１２への排水Ｊの浸透効果を上げるために、直径Ｖのヌメリ除去剤１２の周面１２ａに深さｄ（＜Ｖ／２）の環状深溝５８を全周にわたって設けている。この場合、図９に示したヌメリ除去剤１２のようにカット面５５は設けられておらず、縦置き状態で転がったり回転しても凹み部３０ａ内に流入し凹み部３０ａ内に溜まった排水Ｊが毛細管現象で環状深溝５８を介してヌメリ除去剤１２の上部および内部まで浸透していく。
【００２５】
収容部２０は、排水流入孔４１を硬質樹脂製上リング部材１３の内側面上部に有するが、排水流入孔４１から収容部２０内に流入し溜まった排水Ｊによって収容部２０内のヌメリ除去剤１２の一部を溶解してなる溶解液Ｊ’を流出させる役目は、ポリエチレンや発泡スチロールのような多孔質性の軟質樹脂を材料とする前記凹み部３０ａが行う。
【００２６】
而して、収容部２０の排水流入孔４１から流入した流しＷの排水Ｊの一部は収容部２０内に一旦溜まる。この状態で溜まった排水Ｊによってヌメリ除去剤１２の一部が溶解して形成される溶解液Ｊ’を、排水流入孔４１から新たに流入した排水Ｊによって多孔質性の軟質樹脂を材料とする前記凹み部３０ａを介して流出させることができる。また、溶解液Ｊ’が収容部２０内に溜まっている状態において、排水Ｊがない場合でも収容部２０内の前記溶解液Ｊ’が多孔質性の軟質樹脂を材料とする前記凹み部３０ａを介して徐々に外部に流出しうる。そして、前記凹み部３０ａから溶解液Ｊ’が菊割れフタ１の底部に至り、排水用長孔６を経てゴミ受けカゴ６０に至るとともに、菊割れ舌片３上に排水の一部が滞留する。そのため、ゴミ受けカゴ６０のヌメリを除去できるとともに、このゴミ受けカゴ６０の上部に設けられる菊割れフタ１のヌメリも除去できる。
【００２７】
そして、収容部２０内に一旦溜まった状態で、溜まった排水Ｊによってヌメリ除去剤１２の一部が溶解するので、溶解液Ｊ’は飽和液になり易く、ヌメリ除去剤１２の溶解が安定する。この状態で排水Ｊがあると、飽和溶解液Ｊ’を薄める形で、かつ、飽和溶解液Ｊ’に混じって溶解液Ｊ’が前記凹み部３０ａから収容部２０の外部に流出する。よって、ゴミ受けカゴ６０のヌメリと、このゴミ受けカゴ６０の上部に設けられる菊割れフタ１のヌメリとを効果的に除去できる。
【００２８】
図１１、図１２は、多孔質性の軟質樹脂を材料とする前記凹み部３０ａの代わりに、この凹み部３０ａと同等の機能を有するネット部材４０を下リング部材１４に形成したこの発明の第２の実施形態を示す。なお、図１１、図１２において、図１〜図１０で示した符号と同一のものは同一または相当物である。
【００２９】
この場合、ネット部材４０は、下リング部材１４の一部を構成するもので、収容部２０の排水流入孔４１から流入した流しＷの排水Ｊの一部を一旦溜め、この状態で溜まった排水Ｊによってヌメリ除去剤１２の一部が溶解して形成される溶解液Ｊ’を、排水流入孔４１から新たに流入した排水Ｊによって流出させたり、排水Ｊがない場合でも収容部２０内の前記溶解液Ｊ’を徐々に流出させうる機能を有する。４４は、下リング部材１４における収容部２０の位置に形成した下方開口で、ネット部材４０によって覆われている。
【００３０】
【００３１】
【００３２】
【発明の効果】
以上説明したようにこの発明では、ヌメリ除去効果の大きな溶解液を常時確保できるヌメリ除去部材を提供することができる。
【図面の簡単な説明】
【図１】  （Ａ）は、この発明の第１の実施形態における使用状態を示す構成説明図である。
（Ｂ）は、上記実施形態で用いる菊割れフタとゴミ受けカゴを示す図である。
【図２】  上記実施形態における平面図である。
【図３】  上記実施形態における底面図である。
【図４】  上記実施形態を内側から見た要部縦断面図である。
【図５】  上記実施形態における要部を示す正面図である。
【図６】  上記実施形態における要部を示す背面図である。
【図７】  上記実施形態を示す要部構成説明図である。
【図８】  同じく上記実施形態を示す要部構成説明図である。
【図９】  上記実施形態のヌメリ除去剤を示す斜視図である。
【図１０】  上記実施形態のヌメリ除去剤の変形例を示す図である。
【図１１】  この発明の第２の実施形態を示す要部構成説明図である。
【図１２】  同じく上記第２の実施形態を示す要部構成説明図である。
【符号の説明】
１…菊割れフタ、１０…ヌメリ除去部材、１１…リング体、１２…ヌメリ除去剤、２０…収容部、６０…ゴミ受けカゴ、Ｗ…流し、Ｊ…排水。
【図１】
0003884668.tif 000002
【図２】
0003884668.tif 000003
【図３】
0003884668.tif 000004
【図４】
0003884668.tif 000005
【図５】
0003884668.tif 000006
【図６】
0003884668.tif 000007
【図７】
0003884668.tif 000008
【図８】
0003884668.tif 000009
【図９】
0003884668.tif 000010
【図１０】
0003884668.tif 000011
【図１１】
0003884668.tif 000012
【図１２】
0003884668.tif 000013